(57)【要約】【課題】  ユーザが意識的に楽曲を購入しなくても、適宜新たな楽曲を利用させることができる楽曲データ配信システムを提供する。【解決手段】  ネットワークを介して接続された端末装置１とサーバ２と、を備え、楽曲データをサーバから端末装置に配信する楽曲データ配信システムであって、前記端末装置１は、ユーザによる商品の購入又はサービスの享受に基づいた利用情報を記録する利用情報記録手段と、サーバと送受信するための通信手段と、を備え、前記サーバ２は、前記楽曲データを格納する楽曲格納手段と、前記端末装置１と送受信するための通信手段と、前記端末装置１から受信した利用情報に基づいて前記楽曲データの配信を制御する配信制御手段と、を備える。【選択図】  図１
2006284698.tif 000002
【特許請求の範囲】
【請求項１】
ネットワークを介して接続された端末装置とサーバと、を備え、楽曲データをサーバから端末装置に配信する楽曲データ配信システムであって、
前記端末装置は、ユーザによる商品の購入又はサービスの享受に基づいた利用情報を記録する利用情報記録手段と、
サーバと送受信するための通信手段と、を備え、
前記サーバは、前記楽曲データを格納する楽曲格納手段と、
前記端末装置と送受信するための通信手段と、
前記端末装置から受信した利用情報に基づいて前記楽曲データの配信を制御する配信制御手段と、を備える楽曲データ配信システム。
【請求項２】
ネットワークを介して接続された端末装置とサーバと、を備え、楽曲データをサーバから端末装置に配信する楽曲データ配信システムであって、
前記端末装置は、楽曲データを格納する楽曲格納手段と、
前記楽曲格納手段に格納された楽曲データに基づいて楽曲を再生する楽曲再生手段と、
ユーザによる商品の購入又はサービスの享受に基づいた利用情報を記録する利用情報記録手段と、
前記サーバと送受信する通信手段と、を備え、
前記サーバは、前記端末装置から受信した利用情報に基づいて前記端末装置に格納された楽曲情報の再生の可否を判別する再生可否判別手段と、
前記端末装置と送受信する通信手段と、を備え、
前記端末装置は、前記サーバから受信した可否情報に基づいて楽曲再生手段を制御する楽曲データ配信システム。
【請求項３】
前記利用情報は、商品又はサービスの利用金額、利用回数、利用時間のうち少なくともいずれかを含む請求項１又は請求項２に記載の楽曲データ配信システム。
【請求項４】
前記端末装置は、車両に搭載される車載端末装置であり、
この車載端末装置は、ＥＴＣ装置を更に備えており、
前記サービスとしての有料道路の利用に基づく利用情報を前記ＥＴＣ（登録商標）装置から取得する請求項１から請求項３のいずれかに記載の楽曲データ配信システム。
【請求項５】
前記端末装置は、車両に搭載される車載端末装置であり、
この車載端末装置は、カーナビゲーションシステムを更に備えており、
前記サービスとしての店舗、施設等の利用に基づく利用情報を前記ナビゲーションシステムから取得する請求項１から請求項４のいずれかに記載の楽曲データ配信システム。
【請求項６】
前記端末装置は、車両に搭載される車載端末装置であり、
この車載端末装置は、放送局から受信したラジオ又はテレビ等の放送信号を受信して再生する放送再生手段を備える請求項１から請求項５のいずれかに記載の楽曲データ配信システム。
【請求項７】
楽曲データを格納する楽曲データ格納手段と、
前記楽曲格納手段に格納された楽曲データを再生する楽曲再生手段と、
ユーザによる商品の購入又はサービスの享受に基づいた利用情報を記録する利用情報記録手段と、
前記利用情報記録手段に記録された利用情報に基づいて前記楽曲再生手段を制御する再生制御手段と、を備える端末装置。
【発明の詳細な説明】
【技術分野】
【０００１】
本発明は、端末装置における楽曲データ配信システムに関するものである。
【背景技術】
【０００２】
車両に搭載された車載端末は、カーナビゲーションシステムやオーディオシステムが搭載されており、運転者を含む搭乗者は走行中前記システムを多用している。前記オーディオシステムで再生する楽曲は、予めユーザが購入した記録媒体に記録された楽曲やネットワークを介して取得した楽曲であり、既に所有している楽曲以外の新しい楽曲を取得するには、新たな記録媒体の購入やネットワークを介した新たな楽曲データの購入が必要であり、手間と時間を要していた。
【０００３】
前記ネットワークを介した楽曲の購入は、ユーザが音楽配信サイトにアクセスして、配信を希望する楽曲データを選択して購入手続きを行っていた。しかし、運転者を含む搭乗者は、操作性や安全性の問題から、乗車中に種々の操作を行うことが困難な状況にあり、楽曲の配信サービスを受けるのが困難な場合が多々あった。
【０００４】
このような問題に鑑みて、本出願人は既に、車に乗車中であっても、簡単且つ安全に楽曲データの配信を受けることができる配信方法を提案した。この配信方法は、車載端末において、希望する楽曲に関する音声を入力し、音声に応じたデータを生成し、生成したデータを楽曲データ検索のために、楽曲データの配信を行う配信会社サーバへ送信することを特徴とする（特許文献１参照）。
【特許文献１】特開２００１−３５６７７９号公報
【発明の開示】
【発明が解決しようとする課題】
【０００５】
前記楽曲データ配信方法によれば、音声によって配信を希望する楽曲の選択を行うことができるため、車に乗車中であっても、簡単且つ安全に楽曲データの配信を行うことができた。しかし、前記楽曲データ配信方法においても、新しい楽曲を聴きたい場合には、楽曲の購入手続を行う必要があり、時間がないユーザや、楽曲購入手続を面倒だと思うユーザに対して広く普及させることが難しかった。
【０００６】
また、近年様々な業界で、商品の購入又はサービスの享受に応じてポイントを付与し、そのポイントを溜めることによって種々の特典を提供するポイントシステムが普及している。このポイントシステムは、店舗側にとっては再来店率等を高めることができ、ユーザにとっては前記特典を受けることができ、双方が利益を受けつつ商品又はサービスの販売を促進できるものであった。
【０００７】
本発明は、前記種々の問題に鑑みてなされたものであり、ユーザが意識的に楽曲を購入しなくても、適宜新たな楽曲を利用させることができる楽曲データ配信システムを提供することを目的とする。
【課題を解決するための手段】
【０００８】
本発明は、前述の技術的課題を解決するために以下のように構成されている。本発明に係る楽曲データ配信システムは、ネットワークを介して接続された端末装置とサーバと、を備え、楽曲データをサーバから端末装置に配信する楽曲データ配信システムであって、前記端末装置は、ユーザによる商品の購入又はサービスの享受に基づいた利用情報を記録する利用情報記録手段と、サーバと送受信するための通信手段と、を備え、前記サーバは
、前記楽曲データを格納する楽曲格納手段と、前記端末装置と送受信するための通信手段と、前記端末装置から受信した利用情報に基づいて前記楽曲データの配信を制御する配信制御手段と、を備える。
【０００９】
本発明に係る楽曲データ配信システムによれば、ユーザが利用した商品の購入又はサービスの享受に基づく利用情報に応じて端末装置に楽曲データを配信することができる。従って、ユーザが意識的に楽曲データを購入しなくても、ユーザに対して新しい楽曲データを堤供することができる。また、この楽曲データ配信システムによれば、ユーザの商品の購入又はサービスの享受を促進することができるため、商品又はサービスの提供の提供者にとっては、売り上げ及び再来店率の向上等の利益を促すことができる。
【００１０】
また、本発明に係る楽曲データ配信システムは、ネットワークを介して接続された端末装置とサーバと、を備え、楽曲データをサーバから端末装置に配信する楽曲データ配信システムであって、前記端末装置は、楽曲データを格納する楽曲格納手段と、前記楽曲格納手段に格納された楽曲データに基づいて楽曲を再生する楽曲再生手段と、ユーザによる商品の購入又はサービスの享受に基づいた利用情報を記録する利用情報記録手段と、前記サーバと送受信する通信手段と、を備え、前記サーバは、前記端末装置から受信した利用情報に基づいて前記端末装置に格納された楽曲情報の再生の可否を判別する再生可否判別手段と、前記端末装置と送受信する通信手段と、を備え、前記端末装置は、前記サーバから受信した可否情報に基づいて楽曲再生手段を制御する。
【００１１】
前記楽曲データ配信システムによれば、ユーザによる商品の購入又はサービスの享受に基づいて、端末装置に格納された楽曲データの再生を制御できる。従って、ユーザが意識的に楽曲データを購入しなくても、前記サービス等の利用に応じて楽曲データを配信することができる。
【００１２】
また、本発明に係る楽曲データ配信システムにおける利用情報は、商品又はサービスの利用金額、利用回数、利用時間のうち少なくともいずれかを含むことを特徴としてもよい。本発明に係る楽曲データ配信システムは、ユーザによる商品の購入又はサービスの享受に関連付いた利用情報に基づいて楽曲データの配信を行う。従って、前記利用情報は、楽曲の配信の可否を判別できる情報である必要がある。また、楽曲データの配信を決定する基準となるサービス等は様々であり、そのサービス等によって楽曲データの配信を決定する基準は異なることが要される。
【００１３】
例えば、前記サービスが有料道路の利用の場合には、有料道路の利用によって支払った金額によることもできるし、この金額と合わせて、利用（走行）時間を含めることができる。前記利用（走行）時間による基準を設けることにより、渋滞等により利用（走行）時間が長くなった場合にも、楽曲データの配信サービスを提供することができ、ユーザにとってメリットを提供することができる。
【００１４】
また、前記端末装置は、車両に搭載される車載端末装置であり、この車載端末装置はＥＴＣ装置を更に備えており、前記サービスとしての有料道路の利用に基づく利用情報を前記ＥＴＣ装置から取得することが望ましい。ＥＴＣ装置は、契約情報などを記録したＩＣカードを備えており、有料道路のコンピュータシステムと無線通信することにより、通行料金などの情報がＩＣカードに記録される。
【００１５】
すなわち、ＥＴＣ装置には、利用料金の支払いに応じて利用情報が記録されており、このＥＴＣ装置から容易に利用情報を得ることができる。ネットワークを介して利用情報を得る必要がないため、通信状況に影響されることなく、容易に利用情報を取得することが可能となる。
【００１６】
また、本発明に係る楽曲データ配信システムの端末装置は、車両に搭載される車載端末装置であり、この車載端末装置は、カーナビゲーションシステムを更に備えており、前記サービスとしての店舗、施設等の利用に基づく利用情報を前記ナビゲーションシステムから取得することが望ましい。
【００１７】
ユーザによるサービスが、店舗、施設等の利用の場合には、その店舗等における利用金額、利用回数、利用時間等に応じて楽曲データを配信することができる。前記カーナビゲーションシステムを備えた端末装置においては、ＧＰＳ装置等を用いた位置情報を取得することができるため、前記位置情報に基づいて前記店舗等の利用回数、利用時間を容易に取得することが可能となる。
【００１８】
また、本発明に係る楽曲データ配信システムの端末装置は、車両に搭載される車載端末装置であり、この車載端末装置は、放送局から受信したラジオ又はテレビ等の放送信号を受信して再生する放送再生手段を備えることが望ましい。
【００１９】
前記楽曲データ配信システムによれば、車載端末である端末装置において再生されるラジオ、テレビ等の再生時間によって、前記ラジオ、テレビを視聴したユーザに新たな楽曲データの配信を提供することができる。尚、本発明に係る端末装置における楽曲再生手段と放送再生手段は、各々別個に設けてもよいし、一体化してもよい。
【００２０】
また、本発明は、楽曲データを格納する楽曲格納手段と、前記楽曲格納手段に格納された楽曲データを再生する楽曲再生手段と、ユーザによる商品の購入又はサービスの享受に基づいた利用情報を記録する利用情報記録手段と、前記利用情報記録手段に記録された利用情報に基づいて前記楽曲再生手段を制御する再生制御手段と、を備える端末装置。
【００２１】
前記端末装置によれば、ユーザが利用した商品の購入又はサービスの享受に基づく利用情報に応じて、端末装置における楽曲データの再生を制御することができる。すなわち、一定の商品を購入又はサービスを享受することによって、そのサービス等に応じて、特定の楽曲データを再生できるようにすることができる。従って、ユーザは、楽曲データを意識的に購入しなくても、サービスの享受等によって適宜新しい楽曲を視聴することが可能となる。
【００２２】
以上のように本発明に係る楽曲データ配信システムによれば、ユーザが利用する種々のサービス等に基づいて楽曲データを配信することができ、ユーザは意識的に楽曲データを購入しなくても、新たな楽曲データを取得することが可能となる。
【発明の効果】
【００２３】
以上のように本発明に係る楽曲データ配信システムによれば、ユーザが利用する種々のサービス等に基づいて楽曲データを配信することができ、ユーザは意識的に楽曲でデータを購入しなくても、新たな楽曲データを取得することが可能となる。また、楽曲データの配信を前記サービス等の利用に関連付けることにより、当該サービス等の利用を促進させることができる。
【発明を実施するための最良の形態】
【００２４】
＜実施の形態１＞
以下、図面に基づいて本発明の実施の形態を詳細に説明する。図１は、本実施の形態に係る楽曲データ配信システムの概念図である。楽曲データ配信システムは、車両に搭載された端末装置としての車載端末１と、当該車載端末１とネットワークを介して接続されたサーバ２と、ユーザが商品の購入又はサービスの享受する店舗に設置された店舗端末３と、車載端末に搭載されたＥＴＣ装置と通信可能な料金ゲートシステム４と、車載端末１に
ラジオ又はテレビ放送の放送信号を送信する放送局５と、から構成されている。
【００２５】
前記車載端末１は、ＣＰＵ等から構成され、各種データ処理機能等を有する処理部１１、タッチパネル又はリモコン等から構成され、各種データの入力が可能な入力部１２、液晶ディスプレイ及びスピーカ等から構成され、各種データの出力が可能な出力部１３、メモリ等から構成され、各種データの記憶が可能な記憶部１４、ＧＰＳチューナ１５、放送局５からのＴＶ又はラジオの放送信号を受信するためのチューナ１６、サーバ２及び店舗端末３と情報の送受信を行う送受信部１７、ＥＴＣ装置１８を備えている。
【００２６】
また、記憶部１４には、楽曲の再生等を実行するためのメインプログラム、後述する楽曲データベース（ＤＢ）等が記憶されている。さらに、車載端末１は、ＤＶＤ、ＣＤ、ＭＤ等の再生も可能であり、ＤＶＤ−ＲＯＭ等を利用したＧＰＳナビゲーションシステムを兼用している。
【００２７】
前記サーバ２は、ＣＰＵ等から構成され、各種通信機能及びデータ処理機能等を有する処理部２１、キーボード及びマウス等から構成され、各種データの入力が可能な入力部２２、ディスプレイ等から構成され、各種データの表示が可能な入力部２３、メモリ等から構成され、各種データの記憶が可能な記憶部２４を備えている。また、前記記憶部２４には、後述する各種データベース記憶されている。
【００２８】
店舗端末３は、前記サーバ２と同様に、ＣＰＵ等から構成され、各種通信機能及びデータ処理機能等を有する処理部３１、キーボード及びマウス等から構成され、各種データの入力が可能な入力部３２、ディスプレイ等から構成され、各種データの表示が可能な入力部３３、メモリ等から構成され、各種データの記憶が可能な記憶部３４を備えている。
【００２９】
図１に示すシステム構成を利用した実施の形態１について、図２を用いて以下に説明する。図２は実施の形態１に係る楽曲データ配信システムにおける手順を示すフロー図である。
【００３０】
車載端末１は、通常は、前記ＭＤ等の再生装置、ラジオ放送等の受信器、又はＧＰＳシステムを利用したナビゲーション装置として機能している。車載端末１を搭載した車両を運転するユーザが、店舗端末３を設置する店舗において商品を購入又はサービスを享受すると、店舗端末３は、前記商品又はサービスの利用金額、利用回数、利用時間等を含む利用情報を車載端末１に送信する（ステップ１）。また、ユーザが提携する有料道路を利用した場合には、料金ゲート４からＥＴＣ装置を介して利用情報を取得し、提携するラジオ放送を視聴した場合には、放送局５からチューナを介して利用情報を取得する。
【００３１】
ユーザが運転する車両が有料道路を利用し、ＥＴＣ装置を用いて料金の支払いを行うと、その料金等の情報は、料金ゲートに設置された料金ゲート端末とＥＴＣ装置内のＩＣカードに記録される。すなわち、前記ＩＣカードには、利用料金等の情報が記録されており、このＩＣカードから利用情報を取得することが可能となる。
【００３２】
前記車載端末１は、店舗端末３等から利用情報を受信すると（ステップ２）、当該利用情報を利用情報データベース（ＤＢ）１０１に書き込む（ステップ３）。図３は、車載端末１に格納された利用情報ＤＢ１０１を示した図である。利用情報ＤＢ１０１には、サービスＩＤ、ユーザ利用回数、ユーザ利用時間、ユーザ利用料金、がそれぞれ関連付けられて記録されている。
【００３３】
前記サービスＩＤとは、購入した商品又は享受したサービスを特定する番号である。例えば、サービスＩＤ：Ａ００１０１２３は、高速道路の利用であり、前記利用情報は、高
速道路を利用した回数、高速道路を走行した時間及び高速道路の利用料金である。
【００３４】
また、サービスＩＤ：Ｂ００２０３２２は、レストラン（店舗）の利用であり、前記利用情報は、当該レストランを訪れた回数、レストランに滞在した時間、及びレストランの利用料金である。
【００３５】
サービスＩＤ：Ｃ０１６０２２５は、ラジオ放送の視聴であり、前記利用情報は、ラジオ放送の視聴時間のみである。以上のように、サービスの性質に応じて利用情報とする項目を適宜に設定することが好ましい。
【００３６】
車載端末１は、一定時間経過するまで、対象となるサービス等をユーザが利用する度に、利用情報を取得し、利用情報ＤＢ１０１を更新する。車載端末１は、一定時間経過するのを待って（ステップ４）、前記利用情報ＤＢ１０１に記録された利用情報をサーバ２へ送信する（ステップ５）。
【００３７】
サーバ２は、車載端末１から利用情報を受信すると（ステップ６）、受信した利用情報を前記記録部の利用情報ＤＢ２０１に書き込む（ステップ７）。
【００３８】
図４は、サーバ２の利用情報ＤＢ２０１を示している。利用情報ＤＢ２０１は、ユーザ毎に設けられており、利用情報ＤＢ２０１には、サービスＩＤ、１ライセンスあたりの再生可能回数、目標利用回数、ユーザ利用回数、目標利用時間、ユーザ利用時間、目標利用料金、ユーザ利用料金、可能ライセンス数の情報がそれぞれ関連付けられて記録されている。
【００３９】
前記１ライセンスあたりの再生可能回数は、サーバ２から配信される楽曲データの車載端末１における再生可能な回数であり、一定の回数を設定して回数を制限しても良いし、制限なし（Ｆ）として一度取得した楽曲データは無制限で再生できるようにしてもよい。
【００４０】
前記目標利用回数、目標利用時間、及び目標利用料金は、楽曲データの配信を受けることができる１ライセンスの取得に必要な利用回数、利用時間、及び利用料金である。利用回数、利用時間、及び利用料金の全てについてカウントするように構成してもよいし、サービスの内容に応じて、利用回数のみ、利用回数と利用時間のみ等、適宜に選択した項目のみカウントするように構成してもよい。
【００４１】
前記可能ライセンス数は、楽曲データの配信サービスを受けることができるライセンス数であり、前記ユーザの利用回数等が目標回数等となると１ライセンスがカウントされる。本実施の形態では、利用時間、利用回数、及び利用料金の３項目をそれぞれ独立してカウントするように構成して、いずれか１つの項目で利用回数等が目標回数等を上回ると１ライセンスをカウントしたが、それぞれの項目を関連づけて、全項目において利用回数等が目標回数等を上回ると１ライセンスをカウントするように構成してもよい。
【００４２】
サーバは、前記利用情報ＤＢ２０１に利用情報を書き込んだ後、前記可能ライセンス数の有無を判別する（ステップ８）。前記判別の結果、可能ライセンス数がある場合には、車載端末１に送信する楽曲データを選択して楽曲リストを作成する（ステップ９）。楽曲データの選択は、予め取得したユーザの好みに応じて行う。
【００４３】
図５は、サーバ２に格納されたユーザＤＢ２０２を示している。ユーザＤＢ２０２は、全ユーザに関する情報が格納されており、ユーザ番号に関連付けて、ライセンス累積数、最終配信日時、ジャンル番号、アーティスト番号、年代番号、配信済楽曲番号がそれぞれ関連付けられて記録されている。
【００４４】
ライセンス累積数は、当該ユーザの累積ライセンス数であり、最終配信日時は、最後に楽曲データを配信した日時である。ジャンル番号、アーティスト番号、年代番号は、ユーザが配信を希望している楽曲のジャンル等を特定する番号である。すなわち、ジャンル番号等は、ユーザの楽曲の好みを示しており、予めユーザから配信を希望するジャンル、アーティスト、発売した年代等の希望を取得しておく。
【００４５】
これにより、数多く発売される楽曲の中からユーザの好みにあった楽曲データを提供することができる。なお、本実施の形態では、ジャンル、アーティスト、年代の３項目において配信する楽曲データを選択できるように構成したが、その他の項目として、性別、国等の項目を設けてもよいし、項目を一切備えず、ランダムに配信する楽曲データを選択するように構成してもよい。
【００４６】
また、図６は、サーバの楽曲ＤＢ２０３を示している。楽曲ＤＢ２０３には、ユーザに配信可能な楽曲データに関する情報が格納されており、楽曲を特定する楽曲ＩＤに関連づけて、ジャンル、アルバム名、アーティスト名、及びトラックを特定する番号がそれぞれ関連付けられて記録されている。
【００４７】
サーバ２は、前記ユーザＤＢ２０２のジャンル番号、アーティスト番号、年代番号に基づいて、前記楽曲ＤＢ２０３から当該ユーザに配信する楽曲データをいくつか選択し、その選択した楽曲に基づいた楽曲リストを車載端末に送信する（ステップ１０）。
【００４８】
車載端末１は、前記楽曲リストを受信すると（ステップ１１）、前記楽曲リストを表示する（ステップ１２）。図７は、楽曲リストを表示した車載端末の出力部の表示画面である。ユーザは、この楽曲リストを見て配信サービスを受ける楽曲データを選択することができる。車載端末１は、ユーザからの楽曲データを選択する入力を待って（ステップ１３）、その選択された楽曲ＩＤをサーバへ送信する（ステップ１４）。
【００４９】
サーバ２は、前記楽曲ＩＤを受信すると（ステップ１５）、前記楽曲ＤＢ２０３から該当する楽曲データを取得して（ステップ１６）、この楽曲データを車載端末１に送信する（ステップ１７）。車載端末１は、楽曲データをサーバ２から受信すると（ステップ１８）、受信した楽曲データを楽曲ＤＢ１０２に格納する（ステップ１９）。
【００５０】
図８は、車載端末の楽曲ＤＢ１０２を示している。楽曲ＤＢ１０２は、サーバ２から車載端末１に配信された楽曲データに関する情報が格納されており、楽曲ＩＤに関連づけて、再生可能回数、前記ジャンル、アルバム名、アーティスト名、トラックを特定する番号がそれぞれ関連付けられて記録されている。
【００５１】
再生可能回数は、車載端末において当該楽曲データを再生できる回数であり、再生を行う度に更新される。再生可能回数が設定されている楽曲データは、前記再生可能回数が０になるまで再生可能として、制限なし（図示するＦ）は、何回でも再生可能とした。
【００５２】
次いで、車載端末１は、楽曲データの配信サービスを受けたライセンス数に応じて利用情報ＤＢに記録された利用情報を更新する（ステップ２０）。以上が、ユーザのサービス等の利用によって可能ライセンス数が有る場合であり、以下、可能ライセンス数がない場合の処理を説明する。
【００５３】
サーバ２は、車載端末１より利用情報を受信して、利用情報ＤＢ２０１を更新した後、可能ライセンス数の有無を判別する（ステップ８）。前記判別の結果、可能ライセンス数がない場合には、楽曲データの配信ができないとして、「配信サービス不可」の情報を車
載端末１に送信する（ステップ２１）。
【００５４】
前記配信サービス不可の情報を受信した車載端末１は、「楽曲データ配信不可」、「利用時間が足りません」等の楽曲データ配信サービスが受けられないことを通知するメッセージを表示する（ステップ２２）。
【００５５】
なお、サーバ２から車載端末１に配信サービス不可の情報を送信する際に、前記配信サービス不可の情報と合わせて、ライセンス取得までの時間等を車載端末１に送信して、ユーザに対して、ライセンス取得までの時間数等を表示するように構成してもよい。
【００５６】
以上のように、本実施の形態１に係る楽曲データ配信システムによれば、ユーザの商品の購入又はサービスの享受に応じて、ユーザに対して新たな楽曲データを配信することができる。従って、ユーザが意識的に楽曲データを購入しなくても、適宜新しい楽曲データをユーザに提供することが可能となる。さらに、ユーザは提携先のサービス等を利用することによって楽曲データの配信を受けることができ、ユーザに対して提携先のサービスの利用促進を促すことができる。
【００５７】
なお、本実施の形態１では、車載端末からサーバへの利用情報の送信を一定時間毎に行ったが、ユーザの送信依頼を待って行ってもよい。
【００５８】
＜実施の形態２＞
実施の形態２に係る楽曲データ配信システムは、前記実施の形態１においてサーバ２から車載端末１に楽曲データを配信していた構成を、車載端末１に予め再生を制限するキーを付した楽曲データを記録しておき、利用情報に応じて車載端末１に記録された楽曲データを再生できるように前記キーを解除するように構成したものである。なお、本実施の形態２においても、図１に示すシステム構成図は同様であり、同様の構成については同符号を用いて説明を省略する。
【００５９】
図９は実施の形態２に係る楽曲データ配信システムにおける手順を示すフロー図である。ステップ３までは前記実施の形態１と同様であり、ステップ４から説明する。図１０は、車載端末に格納された楽曲ＤＢ１０３であり、図１１は、車載端末に格納された利用情報ＤＢ１０４である。
【００６０】
楽曲ＤＢ１０３は、楽曲データに関する情報が格納されており、楽曲ＩＤに関連づけて、再生可能回数、ジャンル、アルバム名、アーティスト名、トラックを特定する番号がそれぞれ関連付けられて記録されている。
【００６１】
前記再生可能回数は、車載端末において再生可能な回数であり、図示する数字がその回数を示している。また、再生可能回数に入力される「Ｎ」は、再生不可を示しており、当該楽曲データは再生を制限するキーが付されており、再生できないことを示している。当該楽曲データを再生するためには、ユーザがサービス等を利用して可能ライセンスを取得し、サーバから前記制限を解除するキーを取得する必要がある。
【００６２】
車載端末に格納された利用情報ＤＢ１０４には、サービスＩＤ、１ライセンスあたりの再生可能回数、目標利用回数、ユーザ利用回数、目標利用時間、ユーザ利用時間、目標利用料金、ユーザ利用料金、ポイント数の情報がそれぞれ関連付けられて記録されている。
【００６３】
前記ポイント数は、前記利用料金等に基づいて算出される値であり、サービス等の性質に応じて予め定められている。本実施の形態２では、利用回数等が目標利用回数等となると１ポイント取得するように構成されている。
【００６４】
車載端末１は、利用情報ＤＢ１０４を更新した後、前記ポイント数の総数を算出し、当該ポイント数によって受けられるサービスの有無を判別する（ステップ３４）。図１２は、車載端末１に格納されたサービスＤＢ１０５である。サービスリストは、ポイント数と当該ポイント数によって受けられるサービスの内容とが関連付けられて記録されている。
【００６５】
車載端末１は、前記サービスＤＢ１０５から当該ポイント数によってサービスを受けられるか判別する。本実施の形態２では、最もポイント数が少ないサービスは、ポイント数１０の「ハンズフリー着メロ」であるため、ポイント数が１０ポイント以上であれば、受けられるサービスが有りと判別される。
【００６６】
例えば、２０ポイントでは、楽曲データを１曲取得することができ、６０ポイントでは、楽曲データを５曲取得することができ、１００ポイントでは、アルバム１曲分の楽曲データを取得することができる。
【００６７】
ユーザに対してユーザが受けたいサービスを予め設定してもらい、そのサービスを受けるポイント数を目標にして、ポイントの加算を促すようにしてもよいし、ポイントが溜まる毎に受けられるサービスのリストを表示して、ユーザが任意に選択できるように構成してもよい。
【００６８】
前記判別の結果、当該ポイントに基づいて受けられるサービスがある場合には、車載端末１は、前記サービスＤＢ１０５に基づいてポイント数に応じたサービスリストを作成して（ステップ３５）、出力部１３の表示画面に当該サービスリストを表示する（ステップ３６）。そして、車載端末１は、表示部に受けられるサービスのリストを表示して、ユーザからのサービスと楽曲データの選択指示をまつ。
【００６９】
図１３〜１６は、車載端末１の出力部１３の表示画面を示している。まず、図１３に示すように、現在のポイント状況を表示する。表示画面には、楽曲データを再生するライセンスの有無を示すライセンス状態と、現在のポイント数と、ライセンス獲得に必要なポイント数を表示する。また、当該画面には、「獲得ポイント一覧」、「サービス一覧」、「楽曲管理」の画面をそれぞれ選択するためのボタンが表示されており、ユーザからの選択入力により各画面が表示される。
【００７０】
図１４は「獲得ポイント状況」画面を示した図であり、図１５は、「サービス一覧」を示した図である。前記表示画面によれば、ユーザは、取得したいサービスに必要なポイント数及び必要な利用料金等を提示することができ、ユーザのポイント獲得意欲を促進させることができる。
【００７１】
また、前記表示画面は、タッチパネル装置であり、ユーザは前記タッチパネルをタッチすることにより、入力指示をすることができ、サービスの内容等を変更することが可能であり、ユーザの好みに合ったサービスを提供することが可能となる。
【００７２】
そして、図１６に示す「楽曲管理情報」画面によって、ユーザからのサービスの選択指示をまつ。図示する左側の表には、配信サービスを受けることができる楽曲名等が表示されており、その右側には、「購入」、「削除」、「変更」ボタンが表示されている。
【００７３】
この楽曲データの選択は、適宜に構成することが出来るが、例えば、ユーザが楽曲を選択してから「購入」ボタンを入力すると、車載端末は、当該楽曲データの配信サービスを提供して、ユーザが楽曲を選択してから「削除」ボタンを入力すると、当該楽曲を削除して、ユーザが楽曲を選択してから「変更」ボタンを入力すると、同じサービス提携先から
ポイントに応じた楽曲の変更をすることが可能となる。
【００７４】
車載端末は、ユーザからサービスと楽曲データの選択入力を待って（ステップ３７）、選択された楽曲ＩＤをサーバに送信する（ステップ３８）。
【００７５】
前記サーバ２は、楽曲ＩＤを受信すると（ステップ３９）、サーバ２の楽曲ＤＢ（図示せず）にアクセスする。楽曲ＤＢは、楽曲ＩＤと当該楽曲ＩＤの楽曲データの再生を解除するキーコードが関連付けられて記録されている。サーバ２は、楽曲ＤＢから当該楽曲ＩＤの再生の制限を解除するキーコードを取得して（ステップ４０）、そのキーコードを車載端末に送信する（ステップ４１）。
【００７６】
車載端末１は、前記キーコードを取得すると（ステップ４２）、当該キーコードを楽曲ＤＢに記録する（ステップ４３）。楽曲ＤＢにキーコードが記録されると、前記再生可能回数が更新される。例えば、楽曲ＩＤ2582-6-259は、１ライセンスにつき５回の再生が可能なので、再生可能回数に「５」が入力される。これにより、ユーザは、再生可能回数が更新された楽曲データの再生が可能となる。
【００７７】
次いで、車載端末は、前記キーコードを取得した分のライセンス数に応じて利用情報を更新する（ステップ４４）。すなわち、楽曲データの再生を可能にしたライセンス分のポイント数をクリアする。
【００７８】
また、ステップ３４の判別の結果、ユーザが取得したポイント数によって受けられる際―ビスがない場合には、前記実施の形態１と同様に、配信サービスを受けられない旨をユーザに対して表示して処理を終了する（ステップ４５）。
【００７９】
以上のように、実施の形態２に係る楽曲データ配信システムによっても、ユーザのサービスの享受等によって楽曲データを配信することができ、ユーザが意識しなくても新たな楽曲データをユーザに配信することが可能となる。
【００８０】
なお、本実施の形態２では、予め楽曲データを車載端末１の楽曲ＤＢに格納していたが、定期的にサーバ２から車載端末に再生を制限するキーを付した楽曲データを配信するように構成してもよい。
【００８１】
＜実施の形態３＞
本実施の形態３に係る楽曲データ配信システムは、前記実施の形態２においてサーバから取得した再生の制限を解除するキーコードを車載端末内に格納した実施形態である。なお、本実施の形態３の説明においても前記実施の形態１、２と同様の構成については、同符号を用いて説明を省略する。
【００８２】
図１７は実施の形態３に係る楽曲データ配信システムにおける手順を示すフロー図である。ステップ５７（実施の形態２のステップ３７に相当）までは実施の形態２と同様であり、ステップ５８から説明する。
【００８３】
車載端末１は、ユーザから楽曲データ選択する入力を待って（ステップ５７）、選択された楽曲ＩＤのキーコードをキーコードＤＢ（図示せず）から取得する（ステップ５８）。前記キーコードＤＢは、前記楽曲ＩＤと楽曲ＤＢに格納された楽曲データの再生の制限を解除するキーコードとが関連付けられて記録されている。
【００８４】
車載端末１は、前記キーコードＤＢから該当する楽曲ＩＤのキーコードを読み出して、当該キーコードを楽曲ＤＢに記録する（ステップ５９）。前記キーコードが記録されるこ
とにより、楽曲ＤＢの再生可能回数に取得したライセンス数によって再生可能な回数が入力される。
【００８５】
車載端末１は、以下、同様に利用情報ＤＢを更新して（ステップ６０）、処理を終了する。また、前記可能ライセンスがない場合には、前記と同様に、配信サービスを受けることができない旨を表示して（ステップ６１）、処理を終了する。
【００８６】
本実施の形態３によっても、ユーザのサービスの享受等に応じて楽曲データを配信することができ、ユーザが意識的に楽曲データを購入しなくても適宜新しい楽曲データを提供することが可能となる。また、本実施の形態３に係る楽曲データ配信システムは、楽曲データの配信に際して、配信の都度車載端末１とサーバ２が情報を送受信する必要がないため、場所等の制限がなく配信サービスを行えるとともに、迅速な処理を行うことが可能となる。
【００８７】
尚、本実施の形態では、端末装置を車載端末として説明したが、本発明に係る楽曲データ配信システムは、車載端末に限られず、種々の端末において適用可能である。
【００８８】
以上、本発明に係る楽曲データ配信システムの実施の形態を例に挙げて説明したが、本発明は可能な限りこれらの組み合わせをも含むものである。
【図面の簡単な説明】
【００８９】
【図１】実施の形態に係る楽曲データ配信システムの構成図である。
【図２】実施の形態１に係る楽曲データ配信システムにおける手順を示すフロー図である。
【図３】車載端末１に格納された利用情報ＤＢ１０１を示した図である。
【図４】サーバ２の利用情報ＤＢ２０１を示した図である。
【図５】サーバ２のユーザＤＢ２０２を示した図である。
【図６】サーバ３の楽曲ＤＢ２０３を示した図である。
【図７】楽曲リストを表示した車載端末１の出力部１３を示した図である。
【図８】車載端末１の楽曲ＤＢ１０２を示した図である。
【図９】実施の形態２に係る楽曲データ配信システムにおける手順を示すフロー図である。
【図１０】車載端末１の楽曲ＤＢ１０３を示した図である。
【図１１】車載端末１の利用情報ＤＢ１０４を示した図である。
【図１２】車載端末１のサービスＤＢ１０５を示した図である。
【図１３】車載端末１の出力部１３の表示画面を示した図である。
【図１４】車載端末１の出力部１３の表示画面を示した図である。
【図１５】車載端末１の出力部１３の表示画面を示した図である。
【図１６】車載端末１の出力部１３の表示画面を示した図である。
【図１７】実施の形態３に係る楽曲データ配信システムにおける手順を示すフロー図である。
【符号の説明】
【００９０】
１  車載端末
２  サーバ
３  店舗端末
４  料金ゲート
５  放送局
１１、２１、３１  処理部
１２、２２、３２  入力部
１３、２３、３３  出力部
１４、２４、３４  記憶部
１５  ＧＰＳ
１６  チューナ
１７  送受信部
【図１】
2006284698.tif 000003
【図２】
2006284698.tif 000004
【図３】
2006284698.tif 000005
【図４】
2006284698.tif 000006
【図５】
2006284698.tif 000007
【図６】
2006284698.tif 000008
【図７】
2006284698.tif 000009
【図８】
2006284698.tif 000010
【図９】
2006284698.tif 000011
【図１０】
2006284698.tif 000012
【図１１】
2006284698.tif 000013
【図１２】
2006284698.tif 000014
【図１３】
2006284698.tif 000015
【図１４】
2006284698.tif 000016
【図１５】
2006284698.tif 000017
【図１６】
2006284698.tif 000018
【図１７】
2006284698.tif 000019